(57)【特許請求の範囲】
【請求項１】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、該ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側においてリンクブラケットに形成された丸孔に回動可能に支持される支持突起を持つ支持部を有するとともに、スイッチブラケットの他方側においてリンクブラケットにねじ込まれるねじのねじ止め位置をスイッチブラケットの回動方向に変位可能なねじ固定部を有し、且つ、スイッチブラケットの一方端をピボットホルダとリンクブラケットのあいだに挟み込む保持部を有し、保持部は、スイッチブラケットの一方端に挿入部を有し、且つ、リンクブラケットに配置され、前記スイッチブラケットの一方の面と当接する当接部と、ピボットホルダに形成され、スイッチブラケットの挿入部の他方の面と当接するとともに、リンクブラケットの当接部との間でスイッチブラケットの挿入部を挟持するスイッチブラケット挟持用凹部とを備えていることを特徴とするワイパ装置。
【請求項２】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された丸孔に回動可能に支持される支持突起を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、スイッチブラケットの一方端に形成された挿入部と、リンクブラケットに形成され、前記スイッチブラケットの挿入部を挟持するスイッチブラケット挟持用フックとよりなることを特徴とするワイパ装置。
【請求項３】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された丸孔に回動可能に支持される支持突起を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、リンクブラケットに形成された係止部挿入孔部と、スイッチブラケットに配置され、前記リンクブラケットの係止部挿入孔部を貫通配置され、この係止部挿入孔部の外縁に係止される係止部とよりなることを特徴とするワイパ装置。
【請求項４】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、該ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側においてリンクブラケットに形成された支持突起に回動可能に支持される丸孔を持つ支持部を有するとともに、スイッチブラケットの他方側においてリンクブラケットにねじ込まれるねじのねじ止め位置をスイッチブラケットの回動方向に変位可能なねじ固定部を有し、且つ、スイッチブラケットの一方端をピボットホルダとリンクブラケットのあいだに挟み込む保持部を有し、保持部は、スイッチブラケットの一方端に挿入部を有し、且つ、リンクブラケットに配置され、前記スイッチブラケットの一方の面と当接する当接部と、ピボットホルダに形成され、スイッチブラケットの挿入部の他方の面と当接するとともに、リンクブラケットの当接部との間でスイッチブラケットの挿入部を挟持するスイッチブラケット挟持用凹部とを備えていることを特徴とするワイパ装置。
【請求項５】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された支持突起に回動可能に支持される丸孔を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、スイッチブラケットの一方端に形成された挿入部と、リンクブラケットに形成され、前記スイッチブラケットの挿入部を挟持するスイッチブラケット挟持用フックとよりなることを特徴とするワイパ装置。
【請求項６】
正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された支持突起に回動可能に支持される丸孔を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、リンクブラケットに形成された係止部挿入孔部と、スイッチブラケットに配置され、前記リンクブラケットの係止部挿入孔部を貫通配置され、この係止部挿入孔部の外縁に係止される係止部とよりなることを特徴とするワイパ装置。
【発明の詳細な説明】
【０００１】
【産業上の利用分野】
この発明は、通電することによって払拭面を拭うのに利用されるワイパ装置に関し、特に、リヤウインドガラス用のワイパ装置に関する。
【０００２】
【従来の技術】
通電することによって払拭面を拭うリヤウインドガラス用のワイパ装置としては、図６に示されるものが知られている。図示するワイパ装置において、ワイパブレード５０を装着したワイパアーム５１が固定されたピボットシャフト５２が車体に回動可能に取付けられており、このピボットシャフトに固定された図示しないピボットアームと、このピボットアームに一端側が回転可能に連結された図示しないリンクコンロッドと、このリンクコンロッドの他端側に回転可能に連結された図示しないモータアームと、このモータアームをモータシャフトに固定した図示しないワイパモータとが備えられているものが知られている。
【０００３】
通電によりワイパモータが正回転すると、モータアームとリンクコンロッドとピボットアームとによって構成された四節回転連鎖によって、ワイパブレード５０の第１の反転位置Ａと第２の反転位置Ｂとのあいだでピボットアームが往復回動してワイパブレード５０により払拭面であるハッチ５３（リヤウインドガラス）を拭い、ワイパモータが逆回転することによって、ピボットアームがワイパブレード５０の第１の反転位置Ａよりもさらに下方の格納位置Ｃまで回動してワイパブレード５０を格納位置Ｃに停止させる。このようなワイパ装置では、リヤゲートにおいて跳ね上げ式に開放可能になっているハッチ５３を拭うため、ワイパブレード５０が格納位置Ｃにあるか否かの検出をするため、ピボットシャフト５２の位置検出用としてピボットアームに衝突可能にした図示しない位置スイッチが設けられている。この位置スイッチは、ワイパブレード５０が格納位置Ｃにある際にオン切換えして図示しないハッチオープナーに対して電源を接続し、これに反して、ワイパブレード５０が格納位置Ｃにない際にオフ切換えしてハッチオープナーに対する電源を遮断して、ワイパブレード５０が格納位置Ｃにないときは、ハッチ５３が開かないようにしていた。
【０００４】
【発明が解決しようとする課題】
上記したようなワイパ装置においては、ワイパブレード５０が格納位置Ｃにあるか否かを検出してオン切換えまたはオフ切換えする位置スイッチがリヤゲート側に固定されたブラケットに設けられた単一の固定孔にねじ止められていたため、それぞれ回転可能に連結されているモータアーム、リンクコンロッド、ピボットアームにがたがあったり、成形時の寸法差などによって、回転連鎖のレバー比に誤差が生じる可能性を有し、その際に、位置スイッチをピボットアームからずらすことによってオン切換えのタイミング調整を行わなければならず、位置スイッチがブラケットの単一の固定孔にねじ止められていることから、その調整がし難いという問題点があり、この問題点を解決することが課題となっていた。
【０００５】
【発明の目的】
この発明に係わるワイパ装置は、ワイパブレードの位置検出用となる位置スイッチの位置調整を極めて容易にして確実に行うことができるワイパ装置を提供することを目的としている。
【０００６】
【発明の構成】
【０００７】
【課題を解決するための手段】
この発明の請求項１に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、該ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側においてリンクブラケットに形成された丸孔に回動可能に支持される支持突起を持つ支持部を有するとともに、スイッチブラケットの他方側においてリンクブラケットにねじ込まれるねじのねじ止め位置をスイッチブラケットの回動方向に変位可能なねじ固定部を有し、且つ、スイッチブラケットの一方端をピボットホルダとリンクブラケットのあいだに挟み込む保持部を有し、保持部は、スイッチブラケットの一方端に挿入部を有し、且つ、リンクブラケットに配置され、前記スイッチブラケットの一方の面と当接する当接部と、ピボットホルダに形成され、スイッチブラケットの挿入部の他方の面と当接するとともに、リンクブラケットの当接部との間でスイッチブラケットの挿入部を挟持するスイッチブラケット挟持用凹部とを備えている構成としたことを特徴としている。
【０００８】
この発明の請求項２に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された丸孔に回動可能に支持される支持突起を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、スイッチブラケットの一方端に形成された挿入部と、リンクブラケットに形成され、前記スイッチブラケットの挿入部を挟持するスイッチブラケット挟持用フックとよりなる構成としたことを特徴としている。
【０００９】
この発明の請求項３に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された丸孔に回動可能に支持される支持突起を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、リンクブラケットに形成された係止部挿入孔部と、スイッチブラケットに配置され、前記リンクブラケットの係止部挿入孔部を貫通配置され、この係止部挿入孔部の外縁に係止される係止部とよりなる構成としたことを特徴としている。
【００１０】
この発明の請求項４に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、該ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側においてリンクブラケットに形成された支持突起に回動可能に支持される丸孔を持つ支持部を有するとともに、スイッチブラケットの他方側においてリンクブラケットにねじ込まれるねじのねじ止め位置をスイッチブラケットの回動方向に変位可能なねじ固定部を有し、且つ、スイッチブラケットの一方端をピボットホルダとリンクブラケットのあいだに挟み込む保持部を有し、保持部は、スイッチブラケットの一方端に挿入部を有し、且つ、リンクブラケットに配置され、前記スイッチブラケットの一方の面と当接する当接部と、ピボットホルダに形成され、スイッチブラケットの挿入部の他方の面と当接するとともに、リンクブラケットの当接部との間でスイッチブラケットの挿入部を挟持するスイッチブラケット挟持用凹部とを備えている構成としたことを特徴としている。
【００１１】
この発明の請求項５に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された支持突起に回動可能に支持される丸孔を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、スイッチブラケットの一方端に形成された挿入部と、リンクブラケットに形成され、前記スイッチブラケットの挿入部を挟持するスイッチブラケット挟持用フックとよりなる構成としたことを特徴としている。
【００１２】
この発明の請求項６に係わるワイパ装置では、正方向の通電により正回転するとともに、逆方向の通電により逆回転するワイパモータと、上記ワイパモータに結合されたモータアームと、上記モータアームに回転可能に結合されたリンクコンロッドと、上記リンクコンロッドに回転可能に結合されているともに、ピボットシャフトに結合されたピボットアームと、ワイパブレードを装着したワイパアームが取付けられ、上記ワイパモータの回転により前記ワイパアームが正回転すると、上記ワイパブレードを両反転位置のあいだで往復で揺動し、前記ワイパモータが逆回転すると、前記ワイパブレードを格納位置まで移動するピボットシャフトと、上記ピボットシャフトを回転可能に支持するピボットホルダと、上記ピボットホルダを車体側に取付けるリンクブラケットと、上記ピボットアームに当接可能な接触子を有し、上記ワイパブレードが格納位置にない際にハッチの作動を禁止するハッチ作動禁止信号を発生する一方、前記ワイパブレードが格納位置にある際にハッチの作動を可能とするハッチ作動許容信号を発生する位置スイッチと、上記位置スイッチをリンクブラケット上に配置するスイッチブラケットと、上記位置スイッチの接触子をピボットアームに対して離間可能にして前記スイッチをリンクブラケットに固定可能な位置決め手段を備え、位置決め手段は、中央に位置スイッチを配置したスイッチブラケットの一方側において、リンクブラケットに形成された支持突起に回動可能に支持される丸孔を持つ支持部を有するとともに、前記スイッチブラケットの他方側において、リンクブラケットにねじ込まれる位置決めねじのねじ止め位置をスイッチブラケットの回動方向に変位可能な長孔に形成されたねじ固定部と、スイッチブラケットの一方端を保持する保持部とを有し、保持部は、リンクブラケットに形成された係止部挿入孔部と、スイッチブラケットに配置され、前記リンクブラケットの係止部挿入孔部を貫通配置され、この係止部挿入孔部の外縁に係止される係止部とよりなる構成としたことを特徴としている。
【００１３】
【発明の作用】
この発明の請求項１に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端の挿入部がスイッチブラケット挟持用凹部によって、リンクブラケットの当接部との間で挟み込まれることによりスイッチブラケットがリンクブラケットに固定される。それ故、位置スイッチのピボットアームに対する位置調整は、位置スイッチの接触子を作動させるピボットアーム側の誤差が吸収されたものとして行われる。
【００１４】
この発明の請求項２に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端の挿入部がスイッチブラケット挟持用フックによって挟み込むことによりスイッチブラケットがリンクブラケットに固定される。それ故、位置スイッチのピボットアームに対する位置調整は、位置スイッチの接触子を作動させるピボットアーム側の誤差が吸収されたものとして行われる。
【００１５】
この発明の請求項３に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの係止部がリンクブラケットの係止部挿入孔部を通って係止部挿入孔部の外縁に係止されることによりスイッチブラケットがリンクブラケットに固定される。それ故、位置スイッチのピボットアームに対する位置調整は、位置スイッチの接触子を作動させるピボットアーム側の誤差が吸収されたものとして行われる。
【００１６】
この発明の請求項４に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端の挿入部がスイッチブラケット挟持用凹部によって、リンクブラケットの当接部との間で挟み込まれることによりスイッチブラケットがリンクブラケットに固定される。それ故、位置スイッチのピボットアームに対する位置調整は、位置スイッチの接触子を作動させるピボットアーム側の誤差が吸収されたものとして行われる。さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。
【００１７】
この発明の請求項５に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。及びピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端の挿入部がスイッチブラケット挟持用フックによって挟み込むことによりスイッチブラケットがリンクブラケットに固定される。それ故、位置スイッチのピボットアームに対する位置調整は、位置スイッチの接触子を作動させるピボットアーム側の誤差が吸収されたものとして行われる。
【００１８】
この発明の請求項６に係わるワイパ装置において、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定される。それ故、位置スイッチのピボットアームに対する位置調整は、位置スイッチの接触子を作動させるピボットアーム側の誤差が吸収されたものとして行われる。また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。及びピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定される。それ故、位置スイッチのピボットアームに対する位置調整は、位置スイッチの接触子を作動させるピボットアーム側の誤差が吸収されたものとして行われる。さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの係止部がリンクブラケットの係止部挿入孔部を通って係止部挿入孔部の外縁に係止されることによりスイッチブラケットがリンクブラケットに固定される。それ故、位置スイッチのピボットアームに対する位置調整は、位置スイッチの接触子を作動させるピボットアーム側の誤差が吸収されたものとして行われる。
【００１９】
【実施例】
図１ないし図３にはこの発明に係わるワイパ装置の第１実施例が示されている。
【００２０】
図示するワイパ装置１は、主として、ワイパモータ２、モータアーム３、リンクコンロッド４、ピボットアーム５、ピボットシャフト６、ピボットホルダ７、リンクブラケット８、位置スイッチ９、スイッチブラケット１０、スイッチ位置決め手段２０から構成されている。
【００２１】
ワイパモータ２は、リンクブラケット８の一端寄りに形成されたワイパモータ取付部８ａにおいてリンクブラケット８の表面８ｂ１側に配置され、モータシャフト２ａがリンクブラケット８の裏面８ｂ２から突出状にして、ねじ１１をワイパモータ２にねじ止めることによって取付けられており、外部接続配線２ｂが図示しないワイパスイッチを通じて電源に電気的に接続されている。
【００２２】
ワイパモータ２は、ワイパスイッチがオン切換えされると、図示しないモータケースに内蔵したアーマチュアに対して正方向に電源が接続されるため、このアーマチュアのモータシャフト２ａが正回転し、これに反して、ワイパスイッチがオフ切換えされると、モータシャフト２ａが図示しないワイパ定位置停止スイッチによって予め定められた停止位置まで正回転を続けてから、予め定められた角度逆回転する。ワイパモータ２のモータシャフト２ａには、リンクブラケット８の裏面８ｂ２においてモータアーム３が結合されている。
【００２３】
モータアーム３は、平板形状をなしていて、基端側にモータシャフト２ａに結合されるモータシャフト結合部３ａが形成されているとともに、先端側にリンクコンロッド４に回転可能に結合される第１のボールピン３ｂが取付けられている。このモータアーム３はモータシャフト２ａと一体的に回転する。
【００２４】
また、モータアーム３には、第１のボールピン３ｂの位置を移動可能にするための偏芯メタル３ｃが備えられており、この偏芯メタル３ｃは、上述したワイパモータ２のモータシャフト２ａが逆回転した際に、モータシャフト結合部３ａから第１のボールピン３ｂまでの距離を所定の値よりも大きく変更し、ワイパモータ２のモータシャフト２ａが正回転を始めた際にモータシャフト結合部３ａから第１のボールピン３ｂまでの距離を所定の値に戻す機能をもつ。
【００２５】
モータアーム３の第１のボールピン３ｂに結合されたリンクコンロッド４は、リンクブラケット８の一端寄りから他端寄りまでの長さの棒状をなしていて、一端側に上述したモータアーム３の第１のボールピン３ｂに球面対偶を介して結合される第１のボールリテーナ４ａが取付けられているともに、他端側にも一端側と同様にした第２のボールリテーナ４ｂが取付けられており、この第２のボールリテーナ４ｂはピボットアーム５に回転可能に結合されている。
【００２６】
ピボットアーム５は、図２に示されるように、平板形状をなすアーム本体５ａの一端側にピボットシャフト結合部５ｂが設けられているとともに、アーム本体５ａの他端側に第２のボールピン５ｃが取付けられており、アーム本体５ａの他端縁にはアーム本体５ａに対してほぼ直角に曲げられたスイッチ接触片５ｄが形成されている。
【００２７】
ピボットアーム５は、ピボットシャフト結合部５ｂにピボットシャフト６の基端側が結合され、第２のボールピン５ｃが上述したリンクコンロッド４の第２のボールリテーナ４ｂに球面対偶を介して結合されているため、リンクコンロッド４を介して、モータアーム３においてモータシャフト結合部３ａから第２のボールピン５ｃまでの距離と、ピボットアーム５においてピボットシャフト結合部５ｂから第２のボールピン５ｃまでの距離とからなる四節回転連鎖によって構成されたレバー比により、モータアーム３の回転がワイパ揺動範囲に対応したピボットシャフト６の回動に変換される。
【００２８】
ピボットアーム５のピボットシャフト結合部５ｂに結合されたピボットシャフト６は、ピボットホルダ７に回転可能に支持されている。
【００２９】
ピボットホルダ７は、図２に示されるように、断面が略＋字形状をなすホルダ本体７ａの中央にピボットシャフト挿通孔７ｂが形成されており、リンクブラケット８の他端寄りに形成されたピボット取付部８ｃにねじ１２をねじ止めることによってホルダ本体７ａが固定されている。
【００３０】
また、ピボットホルダ７のホルダ本体７ａにおいてリンクブラケット８の裏面８ｂ２に対向する位置には、図３に示されるように、後述するスイッチブラケット１０の厚さよりもわずかに大きい幅寸法を有する空間状に切除されていて保持部２０ａの一部を構成するスイッチブラケット挟持用凹部２０ｊが形成されている。このスイッチブラケット挟持用凹部２０ｊは、スイッチブラケット１０に備えた第１のリンクブラケット取付板部１０ｂの端部に有する挿入部２０ｉ（２０ａ）をリンクブラケット８の裏面８ｂに有する当接部２０ｋ（２０ａ）とによって挟み込むことによってスイッチブラケット１０の端部を保持する機能をもつ。
【００３１】
ピボットシャフト６は、先端寄りがリンクブラケット８の表面８ｃから突出しており、このリンクブラケット８はリヤゲートに有するアウターパネルとインナーパネルの間に取付けられるため、先端がアウターパネルから突出して配置される。
【００３２】
ピボットシャフト６は、先端側に図６と同様のワイパブレード５０を装着したワイパアーム５１が結合される。
【００３３】
一方、リンクブラケット８のピボット取付部８ｃの近傍には、位置スイッチ９がスイッチブラケット１０上に取付けられている。
【００３４】
位置スイッチ９は、弾性のある接触子９ａが矩形状をなすケース９ｂから突出状に配置されており、この接触子９ａがケース９ｂから離れていると、オフ状態となって外部接続用端子９ｃ、９ｄが遮断され、接触子９ａがケース９ｂ側に押圧されると、オン状態となって外部接続用端子９ｃ、９ｄが導通される。
【００３５】
位置スイッチ９は、外部接続用端子９ｃ、９ｄが運転席に配置された図示しないハッチオープナースイッチを介して電源に接続されているため、接触子９ａがケース９ｂから離れているオフ状態で上述したハッチオープナースイッチの通電経路を遮断するためのハッチ作動禁止信号が発生され、これに反して、接触子９ａがケース９ｂ側に押圧されているオン状態で上述したハッチオープナースイッチの通電経路を形成するためのハッチ作動許容信号が発生される。
【００３６】
スイッチブラケット１０は、図２に示されるように、平面に形成されていて上述した位置スイッチ９が固定されるブラケット本体１０ａの両側にブラケット本体１０ａからクランク状に曲げられた第１、第２のリンクブラケット取付板部１０ｂ、１０ｃが形成されている。
【００３７】
第１のリンクブラケット取付板部１０ｂは、ブラケット本体１０ａのピボットホルダ７側に配置されており、この第１のリンクブラケット取付板部１０ｂのほぼ中央には、プレス加工によってリンクブラケット８側に突出したスイッチ位置決め手段２０の他の一部を構成する支持突起（支持部）２０ｂが形成されており、リンクブラケット８の支持突起２０ｂに対向する位置には、図２に示されるように、支持突起２０ｂの外形よりもわずかに大きくスイッチ位置決め手段２０の他の一部を構成する開口状の丸孔２０ｃが形成されている。
【００３８】
また、図３に示されるように、スイッチブラケット１０は、第１のリンクブラケット取付板部１０ｂの端部が挿入部２０ｉになっており、この挿入部２０ｉが上述したピボットホルダ７のスイッチブラケット挟持用凹部２０ｊによってリンクブラケット８の当接部２０ｋとのあいだにおいて脱落を防止された状態で挟み込まれ、リンクブラケット８の丸孔２０ｃに挿入された支持突起２０ｂを中心として回動可能になっている。
【００３９】
そして、第２のリンクブラケット取付板部１０ｃは、ブラケット本体１０ａを挟んで第１のリンクブラケット取付板部１０ｂに対称配置されており、ほぼ中央にスイッチブラケット１０が回動する方向に長寸状に切除されていてスイッチ位置決め手段２０の他の一部を構成する長孔（ねじ固定部）２０ｄが形成されている。この長孔２０ｄにはスイッチ位置決め手段２０の残りの一部を構成する位置決めねじ２０ｅが挿入され、この位置決めねじ２０ｅは、リンクブラケット８において長孔２０ｄに配置された図示しないねじ孔にねじ込まれる。
【００４０】
長孔２０ｄはスイッチブラケット１０の回動方向に長寸状に形成されているため、位置決めねじ２０ｅによってスイッチブラケット１０を仮止めしておいてから、スイッチブラケット１０をリンクブラケット８に対して回動させてから、このスイッチブラケット１０に取付けられた位置スイッチ９を任意の位置に変更したうえで、位置決めねじ２０ｅによりねじ止めることができる。
【００４１】
このような構造のワイパ装置１は、リヤゲートに有するアウターパネルとインナーパネルの間にリンクブラケット８が取付けられ、外部接続配線２ｂがワイパスイッチを通じて電源に電気的に接続されて車体に取付けられ、ピボットシャフト６の先端側がアウターパネルから突出して配置され、ワイパブレード５０の格納位置Ｃに対応したピボットシャフト６に、図６に示されるワイパブレード５０を装着したワイパアーム５１が結合される。
【００４２】
ワイパブレード５０が格納位置Ｃにある際、スイッチ位置決め手段２０によってピボットアーム５に対して位置決められた位置スイッチ９は接触子９ａがピボットアーム５のスイッチ接触片５ｄに押圧されているため、オン状態になっていて、ハッチ作動許容信号が発生されており、それによって、ハッチオープナースイッチによりハッチ５３が開けられる。
【００４３】
ワイパブレード５０が格納位置Ｃにある状態で、電源スイッチ（イグニションスイッチ）がオン切換えされてから、ワイパスイッチがオン切換えされると、ワイパモータ２に電源から正方向の電流が供給されるため、モータシャフト２ａとともにモータアーム３が正回転し、リンクコンロッド４を介してピボットアーム５およびピボットシャフト６が回動を始めて、ワイパブレード５０を格納位置Ｃから第１の反転位置Ａまで移動させ、その後に、ピボットアーム５およびピボットシャフト６が往復で回動することによって、ワイパブレード５０が第１の反転位置Ａと第２の反転位置Ｂとのあいだを往復揺動してハッチ５３を拭う。
【００４４】
ワイパブレード５０によってハッチ５３上において第１の反転位置Ａと第２の反転位置Ｂとのあいだを拭っている際、ワイパスイッチがオフ切換えされると、ワイパ定位置停止スイッチによってワイパブレード５０が第１の反転位置Ａに到達するまでワイパモータ２に電源から正方向の電流が供給され、ワイパブレード５０が第１の反転位置Ａに到達してからワイパモータ２に対して電源から逆方向に電流が供給されるため、ワイパブレード５０が第１の反転位置Ａから格納位置Ｃまで移動して停止する。ワイパブレード５０が格納位置Ｃまでくると、スイッチ位置決め手段２０によってピボットアーム５に対して位置決められた位置スイッチ９は接触子９ａがピボットアーム５のスイッチ接触片５ｄに押圧されているため、オン状態になっていて、ハッチ作動許容信号が発生されており、それによって、ハッチオープナースイッチによりハッチ５３が開けられる。
【００４５】
また、ワイパスイッチがオン切換えされたことによってワイパブレード５０がハッチ５３の第１の反転位置Ａと第２の反転位置Ｂとのあいだを拭っている途中で、電源スイッチがオフ切換えされると、ワイパモータ２に対する電源電流の供給もカットオフされるため、モータシャフト２ａは停止し、ワイパブレード５０が第１の反転位置Ａと第２の反転位置Ｂのあいだで停止することになる。
【００４６】
この状態で、スイッチ位置決め手段２０によってピボットアーム５に対して位置決められた位置スイッチ９は接触子９ａがピボットアーム５のスイッチ接触片５ｄから離れているため、オフ状態になっていて、ハッチ作動禁止信号が発生されているので、ハッチオープナースイッチによりハッチ５３が開けられず、ワイパブレード５０が第１の反転位置Ａと第２の反転位置Ｂとのあいだにある際に、ハッチ５３が開けられてワイパブレード５０やワイパアーム５１によってハッチ５３を損傷しないものとなる。
【００４７】
図４には、この発明に係わるワイパ装置の第２実施例が示されており、位置スイッチ９、スイッチブラケット１０、リンクブラケット８のみが示されていて、他の部位は第１実施例と同様になっている。
【００４８】
この場合、リンクブラケット８には、スイッチブラケット１０の第１のリンクブラケット取付板部１０ｂに有する挿入部２０ｉを挟み込むものとして、クランク形状に折り曲げられたスイッチブラケット挟持用フック２０ｈ（２０ａ）が形成されている。
【００４９】
そして、この場合、第１のスイッチブラケット１０は、スイッチブラケット挟持用フック２０ｈによって挿入部２０ｉが挟持されながら、第１のリンクブラケット取付板部１０ｂの支持突起２０ｂがリンクブラケット８の丸孔２０ｃに支持され、支持突起２０ｂを中心に回動されて位置決めが行われる。
【００５０】
図５には、この発明に係わるワイパ装置の第３実施例が示されており、位置スイッチ９、スイッチブラケット１０、リンクブラケット８のみが示されていて、他の部位は第１実施例と同様になっている。
【００５１】
この場合、リンクブラケット８には、表面８ｂ１から裏面８ｂ２に連通した係止部挿入孔部２０ｆ（２０ａ）が形成されているとともに、スイッチブラケット１０の第１のリンクブラケット取付板部１０ｂの端部には、クランク形状に折り曲げられていて係止部挿入孔部２０ｆに挿入されたうえで、この係止部挿入孔部２０ｆの外縁に係止可能な係止部２０ｇ（２０ａ）が形成されている。
【００５２】
そして、この場合、第１のスイッチブラケット１０は、第１のリンクブラケット取付板部１０ｂの支持突起２０ｂがリンクブラケット８の丸孔２０ｃに支持され、支持突起２０ｂを中心に回動されたうえで、係止部挿入孔部２０ｆ内を通った係止部２０ｇが係止部挿入孔部２０ｆの外縁に係止されることによって位置決めが行われる。
【００５３】
図６には、この発明に係わるワイパ装置の第４実施例が示されており、位置スイッチ９、スイッチブラケット１０、リンクブラケット８のみが示されていて、他の部位は第１実施例と同様になっている。
【００５４】
この場合、リンクブラケット８には、スイッチブラケット１０の第１のリンクブラケット取付板部１０ｂに有する挿入部２０ｉを挟み込むものとして、クランク形状に折り曲げられたスイッチブラケット挟持用フック２０ｈ（２０ａ）が形成されているとともに、スイッチブラケット１０の第１のリンクブラケット取付板部１０ｂに有する丸孔２０ｃに支持される支持突起２０ｂが形成されている。
【００５５】
そして、この場合、第１のスイッチブラケット１０は、スイッチブラケット挟持用フック２０ｈによって挿入部２０ｉが挟持されながら、第１のリンクブラケット取付板部１０ｂの丸孔２０ｃがリンクブラケット８の支持突起２０ｂに支持され、支持突起２０ｂを中心に回動されて位置決めが行われる。
【００５６】
【発明の効果】
以上説明してきたように、この発明の請求項１に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによって、リンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ及びピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端の挿入部がスイッチブラケット挟持用凹部によって、リンクブラケットの当接部との間で挟み込まれることによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【００５７】
この発明の請求項２に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端の挿入部がスイッチブラケット挟持用フックによって挟み込むことによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【００５８】
この発明の請求項３に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの係止部がリンクブラケットの係止部挿入孔部を通って係止部挿入孔部の外縁に係止されることによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【００５９】
この発明の請求項４に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットの長孔を介してねじがねじ込まれ、スイッチブラケットの一方端の挿入部がスイッチブラケット挟持用凹部によって、リンクブラケットの当接部との間で挟み込まれることによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【００６０】
この発明の請求項５に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによって、リンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ及びピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端の挿入部がスイッチブラケット挟持用フックによって挟み込むことによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【００６１】
この発明の請求項６に係わるワイパ装置によれば、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットがリンクブラケットに対して移動されることによって、接触子がピボットアームに対する所定位置まで移動されてリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、また、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによって、リンクブラケットに対する位置が変更され、回動されたスイッチブラケットの長孔を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ及びピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの一方端が保持部によりピボットホルダとリンクブラケットとのあいだに挟み込まれることによって、スイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができ、さらに、ピボットシャフトが格納位置にない際にハッチの作動を禁止するハッチ作動禁止信号を発生し、該ピボットシャフトが格納位置にある際にハッチの作動を可能とするハッチ作動許容信号を発生する位置スイッチは、位置決め手段により、スイッチブラケットの支持部がリンクブラケットに支持されながら、このスイッチブラケットがリンクブラケット上で回動されることによってリンクブラケットに対する位置が変更され、回動されたスイッチブラケットのねじ固定部を介してねじがねじ込まれ、スイッチブラケットの係止部がリンクブラケットの係止部挿入孔部を通って係止部挿入孔部の外縁に係止されることによりスイッチブラケットがリンクブラケットに固定されるので、位置スイッチのピボットアームに対する位置調整は、位置スイッチの接触子を作動させるピボットアーム側の誤差が吸収されたものとして行われ、それによって、ワイパブレードの位置検出用となる位置スイッチの位置調整を極めて容易にして確実に行うことができるという優れた効果を奏する。
【図面の簡単な説明】
【図１】この発明に係わるワイパ装置の第１実施例の全体図である。
【図２】図１に示したワイパ装置においての位置スイッチまわりの平面図である。
【図３】図１に示したワイパ装置においての位置スイッチまわりの外観図である。
【図４】この発明に係わるワイパ装置の第２実施例においての位置スイッチまわりの横断面図である。
【図５】この発明に係わるワイパ装置の第３実施例においての位置スイッチまわりの横断面図である。
【図６】この発明に係わるワイパ装置の第４実施例においての位置スイッチまわりの横断面図である。
【図７】従来のワイパ装置の正面図である。
【符号の説明】
１      ワイパ装置
２      ワイパモータ
３      （リンク）モータアーム
４      （リンク）リンクコンロッド
５      （リンク）ピボットアーム
６      ピボットシャフト
７      ピボットホルダ
８      リンクブラケット
９      位置スイッチ
９ａ    接触子
１０    スイッチブラケット
２０    スイッチ位置決め手段
２０ａ  保持部
２０ｂ  （支持部）支持突起
２０ｃ  丸孔
２０ｄ  長孔
２０ｅ  位置決めねじ
２０ｆ  係止部挿入孔２０ｆ
２０ｇ  係止部
２０ｈ  フック
５０    ワイパブレード
５１    ワイパアーム
５３    ハッチ
【図１】
0003603209.tif 000002
【図２】
0003603209.tif 000003
【図３】
0003603209.tif 000004
【図４】
0003603209.tif 000005
【図５】
0003603209.tif 000006
【図６】
0003603209.tif 000007
【図７】
0003603209.tif 000008